(57)【要約】      （修正有）【課題】  ストレーナが取り付けられる通水配管をコスト増を招くことなく軽量化でき、且つ前記通水配管の圧力損失を従来に比べて低減できるストレーナを提供する。【解決手段】  通水配管に取り付けられるストレーナであって、通水配管内の水流に直交する開断面のネットと、ネットを支持すると共に配管内面に摺接する枠体と、枠体を支持すると共に通水配管に形成されたストレーナ挿入口を閉鎖する蓋とを備える。【選択図】図２
2006116366.tif 000002
【特許請求の範囲】
【請求項１】
通水配管に取り付けられるストレーナであって、通水配管内の水流に直交する開断面のネットと、ネットを支持すると共に配管内面に摺接する枠体と、枠体を支持すると共に通水配管に形成されたストレーナ挿入口を閉鎖する蓋とを備えることを特徴とするストレーナ。
【請求項２】
ネットの断面形状は半円であることを特徴とする請求項１に記載のストレーナ。
【請求項３】
通水配管内の水流に直交すると共にネットに正対する異物受けを備えることを特徴とする請求項１又は２に記載のストレーナ。
【請求項４】
通水配管に形成された位置決め部に係合する位置決め部を備えることを特徴とする請求項３に記載のストレーナ。
【請求項５】
請求項１乃至４の何れか１に記載のストレーナを備えることを特徴とする減圧弁。
【請求項６】
請求項１乃至４の何れか１項に記載のストレーナを備えることを特徴とする電磁弁。
【発明の詳細な説明】
【技術分野】
【０００１】
本発明は、通水配管に取り付けられるストレーナに関するものである。
【背景技術】
【０００２】
図１（ａ）に示すストレーナ１が、水回り機器の通水配管に従来から一般的に取り付けられている。ストレーナ１は、通水配管１００に直交する閉断面の筒状のネット２と、ネット２を支持する枠体３と、枠体３を支持すると共に通水配管１００に形成されたストレーナ挿入口１０１を閉鎖する蓋４とを備えている。通水配管１００には、配管１００内の空間をストレーナ１の収容部を含む第１部分１０２と、ストレーナ１から隔離された第２部分１０３とに区画する隔壁１０４が形成されている。隔壁１０４には、ネット２が形成する筒体の開放端に対峙して、第１部分１０２と第２部分１０３とを連通させる連通穴１０５が形成されている。
【０００３】
通水配管１００内の水流が、実線矢印で示す上昇流の場合、通水配管の第１部分１０２に接続された図示しない他の通水配管から通水配管１００の第１部分１０２へ上向きに流入した水流が、第１部分を上向きに略直進し、ネット２の径方向外方からネット２のメッシュを通ってネット２内へ流入し、隔壁１０４に沿って略直角に折れ曲がり、ネット２が形成する筒体の開放端を通ってネット２から流出すると共に、連通穴１０５を通って通水配管１００の第２部分１０３へ流入し、直角に折れ曲がった後第２部分１０３を上向きに略直進し、第２部分１０３から流出し、第２部分１０３に接続された図示しない他の通水配管へ流入する。水流がネット２のメッシュを径方向内方へ通過して、ネット２外からネット２内へ流入する際に、ネット２の外面によりゴミが捕獲され水流が濾過される。
【０００４】
通水配管１００内の水流が、破線矢印で示す下降流の場合、通水配管１００の第２部分１０３に接続された図示しない他の通水配管から通水配管１００の第２部分１０３へ下向きに流入した水流が、第２部分１０３を下向きに略直進した後直角に折れ曲がり、隔壁１０４に形成された連通穴１０５を通って第１部分１０２へ且つネット２内へ流入し、直角に折れ曲がりネット２のメッシュを径方向外方へ通過してネット２外へ流出し、第１部分１０２を下向きに略直進して第１部分１０２から流出し、図示しない他の通水配管へ流入する。水流がネット２のメッシュを通過して、ネット２内からネット２外へ流出する際に、ネット２の内面によりゴミが捕獲され、水流が濾過される。
【発明の開示】
【発明が解決しようとする課題】
【０００５】
従来構造のストレーナ１には、以下の問題があった。
（１）筒状のネット２のメッシュを径方向内方へ通過してネット２内へ流入し、ネット２内で直角に折れ曲がった後、ネット２が形成する筒体の開放端を通過してネット２から流出する流水を形成し、ネット２の外面にゴミ捕獲機能を持たせる屈曲した外濾し流路、或いは、ネット２が形成する筒体の開放端を通過してネット２内へ流入し、ネット２内で直角に折れ曲がった後、筒状のネット２のメッシュを径方向外方へ通過してネット２から流出する流水を形成し、ネットの内面にゴミ捕獲機能を持たせる屈曲した内濾し流路は鋳造加工以外の方法では加工できない。鋳造加工された外濾し流路或いは内濾し流路を備える通水配管１００は肉厚が大きく重いので、水回り機器の重量増を招く。
（２）外濾し流路或いは内濾し流路は略直角の折れ曲がり部を有するので、圧力損失を発生させ、水回り機器への給水の流量減を招く。
（３）従来構造のストレーナ１には、図１（ａ）に実線矢印で示すように外濾し流路を上昇流が流れる場合、メンテナンスでストレーナ１を取り外す際に、図１（ｂ）に実線矢印で示すように、ネット２の外面に付着したゴミがストレーナ１よりも上流側へ落下し、ストレーナ１を組み付けて通水を開始すると、上流側へ落下したゴミが再びネット２の外面に付着し、ネット２がすぐに目詰まりするという問題があった。
本発明は上記問題に鑑みてなされたものであり、ストレーナが取り付けられる通水配管をコスト増を招くことなく軽量化でき、且つ前記通水配管の圧力損失を従来に比べて低減できるストレーナを提供することを目的とする。
更に本発明は、上記目的に加えて、上昇流中に置かれたストレーナをメンテナンスで取り外す際に、ネットに付着したゴミがストレーナよりも上流側へ落下しないストレーナを提供することを目的とする。
【課題を解決するための手段】
【０００６】
上記課題を解決するために、本発明においては、通水配管に取り付けられるストレーナであって、通水配管内の水流に直交する開断面のネットと、ネットを支持すると共に配管内面に摺接する枠体と、枠体を支持すると共に通水配管に形成されたストレーナ挿入口を閉鎖する蓋とを備えることを特徴とするストレーナを提供する。
本発明に係るストレーナにおいては、通水配管内の流水は、開断面のネットを通って、上流側から下流側へ流れる。水流は、閉断面筒状のネットの径方向外方からネット内へ流入し、ネットが形成する筒体の開放端から流出するのではなく、或いは、ネットが形成する筒体の開放端からネット内へ流入し、ネットの径方向外方へ流出するのでもなく、開断面のネットを単に通過するだけなので、ネットの前後で水流を折り曲げる必要が無い。従って、本発明に係るストレーナが取り付けられる通水配管においては、通水配管内の流路は直進させれば良い。直進流路を有する通水配管は、鍛造加工、樹脂成形により安価に且つ薄肉に、ひいては軽量に製造できる。
通水配管内の流路を直進させることにより、通水配管の圧力損失を従来に比べて低減できる。
【０００７】
本発明の好ましい態様においては、ネットの断面形状は半円形である。
ネットの断面形状を半円形とすることにより、ネットの有効面積が増大し且つネットの強度が増大する。
【０００８】
本発明の好ましい態様においては、ストレーナは、通水配管内の水流に直交すると共にネットに正対する異物受けを備える。
本発明に係るストレーナを上昇流中に置く場合、異物受けを上流側、ネットを下流側へ差し向けて、ストレーナを通水配管に取り付けておけば、メンテナンスでストレーナを取り外す際に、ネットに付着したゴミが落下しても、直下の異物受けにより捕獲されるので、ゴミはストレーナよりも上流側へは落下しない。従って、通水再開後すぐに、ネットから落下したゴミがネットの外面に付着しネットが目詰まりするおそれは無い。
【０００９】
本発明の好ましい態様においては、ストレーナは、通水配管に形成された位置決め部に係合する位置決め部を備える。
所定の相対位置関係を持たせてストレーナを通水配管に取り付けることにより、ストレーナを上昇流中に置く場合、確実に、異物受けを上流側、ネットを下流側へ差し向けることができる。
【００１０】
本発明においては、上記ストレーナを備えることを特徴とする減圧弁を提供する。
本発明においては、上記ストレーナを備えることを特徴とする電磁弁を提供する。
本発明に係るストレーナが一体に組み込まれた減圧弁、電磁弁は、従来構造のストレーナが一体に組み込まれた減圧弁、電磁弁に比べて、軽量であり、圧力損失が少ない。
【発明の効果】
【００１１】
本発明に係るストレーナにおいては、通水配管内の流水は、開断面のネットを通って、上流側から下流側へ流れる。水流は、閉断面筒状のネットの径方向外方からネット内へ流入し、ネットが形成する筒体の開放端から流出するのではなく、或いは、ネットが形成する筒体の開放端からネット内へ流入し、ネットの径方向外方へ流出するのでもなく、開断面のネットを単に通過するだけなので、ネットの前後で水流を折り曲げる必要が無い。従って、本発明に係るストレーナが取り付けられる通水配管においては、通水配管内の流路は直進させれば良い。直進流路を有する通水配管は、鍛造加工、樹脂成形により安価に且つ薄肉に、ひいては軽量に製造できる。
通水配管内の流路を直進させることにより、通水配管の圧力損失を従来に比べて低減できる。
【発明を実施するための最良の形態】
【００１２】
本発明の実施例に係るストレーナを説明する。
【実施例１】
【００１３】
図２に示すように、ストレーナ１０は、半割り円筒状の半円形開断面のネット１１と、ネット１１に対峙して配設された円弧断面の板状の異物受け１２と、ネット１１と異物受け１２と支持する枠体１３とを備えている。枠体１３は、ネット１１の上縁と異物受け１２の上縁とを支持する上枠部分１３ａと、ネット１１の両側縁を支持する一対の側枠部分１３ｂと、ネット１１の下縁と異物受け１２の下縁とを支持する下枠部分１３ｃとを有している。上枠部分１２ａと下枠部分１２ｃとは円環板を形成している。異物受け１２の両側縁と、該両側縁に対峙する側枠部分１２ｂとの間に隙間Ｓが形成されている。ストレーナ１２は更に、枠体１３の下枠部分１３ｃを支持する蓋１４を備えている。蓋１４は、略円板状の蓋本体１４ａと、上面視で両側枠部分１３ｂの径方向外方へ向けて蓋本体１４ａから延びる一対の三角形状のフランジ部１４ｂと、フランジ部１４ｂに形成された貫通穴１４ｃと、一方のフランジ部１４ｂの三角形の頂点に形成された突起１４ｄとを有している。
【００１４】
ストレーナ１０は、図３（ａ）に示すように、実線矢印で示す上昇流が流れる通水配管２００に取り付けられている。ストレーナ１０は、通水配管２００の周壁に形成された挿通穴２０１を介して、通水配管２００内へ挿入されている。ネット１１、異物受け１２は通水配管２００を流れる上昇流に直交している。異物受け１２は上流側すなわち下方へ差し向けられ、ネット１１は下流側すなわち上方へ差し向けられている。枠体１３の一対の側枠部分１３ｂは、通水配管２００の内面に摺接している。一対のフランジ部１４ｂが通水配管２００に形成された一対のフランジ部２０２ａ、２０２ｂに当接し、貫通穴１４ｃに挿通された螺子３００が、フランジ２０２に形成された螺子穴に螺合して、ストレーナ１０が通水配管２００に固定されると共に、蓋本体１４ａが通水配管２００の挿通穴２０１を閉鎖している。フランジ部２０２ａはフランジ部２０２ｂに比べて短小に形成され、短小のフランジ２０２ａと突起１４ｄとが係合している。短小のフランジ２０２ａと突起１４ｄとが係合した状態でのみ、ストレーナ１０を通水配管２００に取り付けることができる。長大のフランジ２０２ｂに突起１４ｄを対峙させると、突起１４ｄがフランジ２０２ｂに衝突して、ストレーナ１０の通水配管２００への取り付けを阻止する。ストレーナ１０と挿通穴２０１周壁との当接部に配設されたＯリング４００が、当該当接部をシールしている。
【００１５】
ストレーナ１０が取り付けられた通水配管２００においては、図３（ａ）、（ｂ）に矢印で示すように、配管内の上昇流は、異物受け１２の下面に沿って二股に分かれ、各分流が異物受け１２の側縁と側枠体部１３ｂとの間の隙間Ｓを通り、ネット１１の直近上流域で合体して単一の上昇流となった後、半割り筒状のネット１１を通って、下流側へ流れる。
水流は、閉断面筒状のネットの径方向外方からネット内へ流入し、ネットが形成する筒体の開放端から流出するのではなく、或いは、ネットが形成する筒体の開放端からネット内へ流入し、ネットの径方向外方へ流出するのでもなく、半円形開断面のネット１１を単に通過するだけなので、ネット１１の前後で水流を折り曲げる必要が無い。従って、ストレーナ１０が取り付けられる通水配管２００においては、通水配管２００内の流路は直進させれば良い。直進流路を有する通水配管２００は、鍛造加工、樹脂成形により安価に且つ薄肉に、ひいては軽量に製造できる。
ネット１１の断面形状を半円形としたので、ネットを単なる平面にする場合に比べてネット１１の有効面積が増大し且つネット１１の強度が増大している。ネット１１の断面形状を単なる平面にする場合には、ストレーナ１０の構造が簡略化され製造コストが低減する。
【００１６】
通水配管２００内の流路を直進させることにより、通水配管２００の圧力損失を、従来構造のストレーナを取り付けた屈曲した流路を有する従来の通水配管に比べて低減でき、通水配管２００の下流に接続される水回り機器への給水流量を、従来構造のストレーナを取り付ける場合に比べて比べて増加できる。異物受け１２の下面に沿って上昇流が両側に二股に分かれる際に、水流が折り曲げられるが、異物受けの下面は上流へ向けて凸に湾曲しているので、上昇流が二股に分かれることによって発生する圧力損失は小さい。ストレーナ１０を下降流が流れる通水配管、或いは水平流が流れる通水配管に取り付ける場合には、異物受け１２は不要になる。異物受け１２が削除されると、通水配管内の水流は完全に直進流になるので、圧力損失は従来構造のストレーナを取り付ける場合に比べて激減する。
【００１７】
上昇流が流れる通水配管２００にストレーナ１０を取り付ける場合、図３に示すように、異物受け１２を上流側すなわち下方へ差し向け、ネット１１を下流側すなわち上方へ差し向けておけば、メンテナンスでストレーナ１０を取り外す際に、図４に二重矢印で示すように、ネット１１に付着したゴミが上流側へ落下しても、直下の異物受け１２により捕獲されるので、ゴミはストレーナ１０よりも上流側へは落下しない。従って、メンテナンス時にネット１１から上流側へ落下したゴミが、通水再開直後にネット１１に再び捕獲され、ネット１１が目詰まりするおそれは無い。
図３（ｂ）に示す、短小のフランジ２０２と突起１４ｄが係合した状態でのみ、ストレーナ１０を通水配管２００にとり付けることができる。所定の相対位置関係を持たせてストレーナ１０を通水配管２００に取り付けることにより、ストレーナ１０を上昇流中に置く場合、確実に、異物受け１２を上流側へすなわち下方へ、ネットを下流側へすなわち上方へ差し向けることができる。
【００１８】
図５（ａ）に示すように、ストレーナ１０を減圧弁２０に一体に組み付けても良い。従来構造のストレーナ１を減圧弁２０に一体に組み付けると、ストレーナ１の収容部に、図５（ｂ）に示すように内濾し流路を形成し、或いは図５（ｃ）に示すように外濾し流路を形成する必要を生じ、流路が屈曲してストレーナ１を通過する際に大きな圧力損失が発生し、減圧弁２０を流れる水流の流量が減少する。これに対し、ストレーナ１０を減圧弁２０に一体に組み付けた場合には、流路は屈曲しないので、ストレーナ１０を通過する際に大きな圧力損失は発生せず、減圧弁２０を流れる水流の流量は減少しない。またストレーナ１０を収容する配管部分を鍛造加工、樹脂成形により薄肉化し、ひいては軽量化できるので、ストレーナを内蔵する減圧弁２０を軽量化できる。
【００１９】
図６（ａ）に示すように、ストレーナ１０を電磁弁３０に一体に組み付けても良い。従来構造のストレーナ１を電磁弁３０一体に組み付けると、ストレーナ１の収容部に、図６（ｂ）に示すように内濾し流路を形成し、或いは図６（ｃ）に示すように外濾し流路を形成する必要を生じ、流路が屈曲してストレーナ１を通過する際に大きな圧力損失が発生し、電磁弁３０を流れる水流の流量が減少する。これに対し、ストレーナ１０を電磁弁３０に一体に組み付けた場合には、流路は屈曲しないので、ストレーナ１０を通過する際に大きな圧力損失は発生せず、電磁弁３０を流れる水流の流量は減少しない。またストレーナ１０を収容する配管部分を鍛造加工、樹脂成形により薄肉化し、ひいては軽量化できるので、ストレーナを内蔵する電磁弁３０を軽量化できる。
【産業上の利用可能性】
【００２０】
本発明は、ストレーナに広く利用可能である。
【図面の簡単な説明】
【００２１】
【図１】従来のストレーナの構造と、ストレーナが取り付けられる通水配管の構造とを示す図である。（ａ）はストレーナを通水配管に取り付けた状態での縦断面図であり、（ｂ）はストレーナを通水配管から取り外した状態での縦断面図である。
【図２】本発明の実施例に係るストレーナの構造図である。（ａ）は上面図であり、（ｂ）は正面図であり、（ｃ）は背面図であり、（ｄ）は右側面図であり、（ｅ）は（ａ）のｅ−ｅ矢視図であり、（ｆ）は（ｅ）のｆ−ｆ矢視図であり、（ｇ）は（ｅ）のｇ−ｇ矢視図である。
【図３】本発明の実施例に係るストレーナを通水配管に取付け状態での両者の断面図である。（ａ）は縦断面図であり、（ｂ）は（ａ）のｂ−ｂ矢視図である。
【図４】本発明の実施例に係るストレーナを通水配管から取り外した状態での両者の断面図である。（ａ）は縦断面図であり、（ｂ）は（ａ）のｂ−ｂ矢視図である。
【図５】本発明の実施例に係るストレーナを一体に組み付けた減圧弁と、従来構造のストレーナを一体に組み付けた減圧弁の、断面図である。
【図６】本発明の実施例に係るストレーナを一体に組み付けた電磁弁と、従来構造のストレーナを一体に組み付けた電磁弁の、断面図である。
【符号の説明】
【００２２】
１、１０  ストレーナ
２、１１  ネット
１２  異物受け
３、１３  枠体
４、１４  蓋
２０  減圧弁
３０  電磁弁
１００、２００  通水配管
【図１】
2006116366.tif 000003
【図２】
2006116366.tif 000004
【図３】
2006116366.tif 000005
【図４】
2006116366.tif 000006
【図５】
2006116366.tif 000007
【図６】
2006116366.tif 000008